(57)【特許請求の範囲】
【請求項１】
操作部で指定した各色の記録紙を選択的に給紙する給紙部を有する画像形成装置であって、
指定した色の記録紙データを画像データと共に記憶装置に蓄積させ、再度記憶装置より画像データを出力させる場合に、前記指定した色の記録紙を選択する制御手段を備え、
前記制御手段は、前記指定した色の記録紙がない場合は、警告を行い、前記指定した色と類似する色の記録紙がある場合は、類似色の記録紙がある旨を通知し、許可された場合は、前記類似色を選択することを特徴とする画像形成装置。
【請求項２】
制御手段の制御により、指定した色の記録紙に対応する画像データを選択して出力することを特徴とする請求項１記載の画像形成装置。
【請求項３】
制御手段は、各色の記録紙毎の使用頻度の集計機能と、操作部での集計結果の表示機能を有することを特徴とする請求項１または２記載の画像形成装置。
【発明の詳細な説明】
【０００１】
【発明の属する技術分野】
本発明は、各色の記録紙を選択的に給紙する給紙部を有する画像形成装置に関するものである。
【０００２】
【従来の技術】
従来技術として、記録すべき内容がモノクロ、カラーの違いにより普通紙またはカラー記録専用紙を自動的に選択し、それぞれに適した低コスト性と高画質記録を実現し得ることを可能としたカラー記録装置が知られている（特開平８−１３２６８２号公報参照）。また、特定色設定手段により設定された色の記録紙に受信情報を記録する制御を行う特定情報記録手段を備えたファクシミリ装置（特開２０００−０５９５６３号公報参照）も知られている。
【０００３】
また、最近ではハードディスクの低価格化により、画像データを記録紙に出力後もハードディスクにそのまま保持させ、いつでも出力可能としている画像形成装置が普及しつつある。
【０００４】
【発明が解決しようとする課題】
上述したように、白色の記録紙とカラーの記録紙を使い分けて画像データを出力（記録）することは従来より行われているが、従来は一度記録紙に出力した画像データを記憶装置に蓄積しておき、再度記録紙に出力する際に、前の記録紙とは異なる色の記録紙に出力してしまう、つまり、同じ原稿を出力する際に希望の色の記録紙以外の色の記録紙で出力をしてしまう場合があるという問題があった。
【０００５】
そこで本発明は、同一画像データは同じ色の記録紙で自動的に出力することを可能とした画像形成装置を提供することを目的とするものである。
【０００６】
【課題を解決するための手段】
上記目的を達成するために請求項１記載の発明は、操作部で指定した各色の記録紙を選択的に給紙する給紙部を有する画像形成装置であって、指定した色の記録紙データを画像データと共に記憶装置に蓄積させ、再度記憶装置より画像データを出力させる場合に、前記指定した色の記録紙を選択する制御手段を備え、前記制御手段は、前記指定した色の記録紙がない場合は、警告を行い、前記指定した色と類似する色の記録紙がある場合は、類似色の記録紙がある旨を通知し、許可された場合は、前記類似色を選択することを特徴とする。
【０００７】
請求項２記載の発明は、制御手段の制御により、指定した色の記録紙に対応する画像データを選択して出力する請求項１記載の画像形成装置を主要な特徴とする。
【０００８】
請求項３記載の発明は、制御手段は、各色の記録紙毎の使用頻度の集計機能と、操作部での集計結果の表示機能を有する請求項１または２記載の画像形成装置を主要な特徴とする。
【０００９】
【発明の実施の形態】
以下本発明の実施の形態を図面に基づき説明する。図１は本発明の実施の形態に係る画像形成装置の制御ブロック図、図２は同、全体概略構成図である。図１に示すように制御系は、各種画像処理を行うＢＣＵ１と、画像データを格納する第１記憶装置２と、各種データを格納する第２記憶装置３と、原稿を読み取るスキャナー制御部４と、各種の操作処理を行う操作部５と、自動原稿送り装置を制御するＡＤＦ制御部６と、給紙制御部７と、記録紙に印字出力する出力手段８と、通信網制御を行うＮＣＵ９とを備えている。またＢＣＵ１は色付記録紙選択制御部（下地色記録紙選択手段）１０を有している。
【００１０】
また図２に示すように、本画像形成装置は、本体１００と、自動原稿送り装置２００と、増設給紙装置３００とから構成されている。本体１００は、その側面に排紙トレイ４００を取り付け、またコンタクトガラス１０１、感光体ドラム１０２、搬送ベルト１０３、第１給紙トレイ１０４、第２給紙トレイ１０５を有している。
【００１１】
自動原稿送り装置２００は、原稿給紙台２０１、排紙トレイ２０２、搬送ベルト２０３を有している。増設給紙装置３００、第３給紙トレイ３０１、第４給紙トレイ３０２、第５給紙トレイ３０３を有している。各給紙トレイは記録紙サイズの外、各色専用のトレイとなっている。
【００１２】
図３は本発明の記録紙選択制御の動作を示すフローチャート、図４は操作部の表示例を示す図である。以下、その内容を説明する。画像入力により（Ｓ１）、操作部５からの色付記録紙の指定の有無を判断する（Ｓ２）。指定を行う場合、例えば、１枚目色無（白）記録紙、２枚目色付（青）記録紙、３枚目色無（白）として操作部５で給紙段（図２の各給紙トレイ）を指定する。
【００１３】
するとこの設定に基づいて色付記録紙選択制御部１０は、給紙制御部７を制御して指定された色の記録紙が収容されている給紙段を順次選択し、その記録紙に印字出力する。
【００１４】
そして画像デ―タを第１記憶装置２へ、指定した色データつまり、１枚目は白、２枚目は青、３枚目は白のデータを第２記憶装置３に画像データと関連付けて数値化して格納する（Ｓ３、Ｓ４）。再度第１記憶装置２に蓄積した画像データを出力させる時に（Ｓ５、Ｓ６でｙ）、第２記憶装置３の色データを参照し（Ｓ７乃至Ｓ１０）、色データが一致した時前回と同じ色の記録紙を選択して印字出力する（Ｓ１１）。
【００１５】
また、指定された色の記録紙が無い場合は、記録紙の色が異なることを操作部５上に警告表示する（Ｓ１２）。その際、類似色の記録紙が存在する場合はその旨オペレータに操作部５上で知らせることも考えられる。
【００１６】
指定された色の記録紙が無い場合、他の色の記録紙で印刷を行うかどうか判断し（Ｓ１３）、他の色の記録紙で印刷する場合はその色の記録紙で印字出力する。また他の色の記録紙では印刷しないということであれば、所望の記録紙に交換する（Ｓ１４）。
【００１７】
ここで、操作部５上に記録紙の色を表示するためには特開２０００−０５９５６３号公報に示す技術と同様な構成にすれば良い。タイマーを利用して、画像ファイルＮｏの代わりに第１記憶装置２に格納されている画像データの中で指定した一定期間内での、所定の色付記録紙データを付加して蓄積させた画像データのみを印字出力させるようにすることも容易に考えられる。
【００１８】
また、重要な画像データに色付をしている場合等には、その画像データがどの程度第１記憶装置２に蓄積されているのかを操作部上５に表示させることも考えられる。本発明の画像形成装置は単体としてのものだけではなく、ＮＣＵを介してのファクシミリやＬＡＮ等におけるプリンタにも適用できる。
【００１９】
【発明の効果】
上記実施形態により、所定の色の記録紙に出力された画像データを記憶装置から呼び出して再出力する際、自動的に前回指定された色の記録紙が選択され、また、指定された色の記録紙が無い場合は警告表示を行い、その際、類似色の記録紙が存在する場合はその旨オペレータに知らせることも可能であるので、オペレータの操作（記録紙の色指定に関する操作）を無くし、使い勝手のよい画像形成装置とすることができる。
【００２０】
また、オペレータが指定した色の記録紙に対応する画像データだけを印字するのでオペレータの操作（画像データの指定に関する操作）を無くし、使い勝手のよい画像形成装置とすることができる。
【００２１】
また、オペレータが指定した色の記録紙がどの程度使用されているかが操作部上で判断できるので、各色の記録紙に対応した画像データの蓄積量も簡単に把握することができる。
【図面の簡単な説明】
【図１】本発明の実施の形態に係る画像形成装置の制御ブロックである。
【図２】同、全体概略構成図である。
【図３】本発明の記録紙選択制御の動作を示すフローチャートである。
【図４】操作部の表示例を示す図である。
【符号の説明】
１  各種画像処理を行うＢＣＵ（制御手段構成要素）
２  画像データを格納する第１記憶装置
３  各種データを格納する第２記憶装置
４  原稿を読み取るスキャナー部
５  各種の操作処理を行う操作部
６  自動原稿送り装置を制御するＡＤＦ制御部
７  給紙制御部
８  記録紙に印字出力する出力手段
９  通信網制御を行うＮＣＵ
１０  ＢＣＵ１が有する色付記録紙選択制御部（制御手段構成要素）
【図１】
0004488472.tif 000002
【図２】
0004488472.tif 000003
【図３】
0004488472.tif 000004
【図４】
0004488472.tif 000005